(57)【要約】【課題】第１制御回路及び第２制御回路を具えており、第１制御回路に駆動電圧が供給されている場合に、第２制御回路への駆動電圧の供給を停止できる撮像装置において、ジョグダイヤル等の操作手段を効果的に多機能化する。【解決手段】本発明の撮像装置は、第１制御回路２に駆動電圧が印加されている状態で、第２制御回路４の駆動電圧をオン又はオフできる撮像装置において、操作手段１から前記第１制御回路２に至る伝送線が分岐して前記第２制御回路４に接続されており、前記第２制御回路４は、前記操作手段１から送られる信号を検出してマニュアルフォーカス制御を行い、前記操作手段１から送られる信号は、バッファ手段３を介して前記第２制御回路４に供給され、前記バッファ手段３は、前記第２制御回路４の駆動電圧がオフである場合に、前記操作手段１から送られる信号の接地電位への引き込みを抑制する。【選択図】    図３
2004302068.tif 000002
【特許請求の範囲】
【請求項１】
操作手段（１）と、被写体を撮影して画像信号を出力するカメラ部（７）と、前記操作手段（１）から送られる信号を処理する第１制御回路（２）と、前記カメラ部（７）の制御を行う第２制御回路（４）とを具えており、前記第１制御回路（２）に駆動電圧が印加されている状態で、前記第２制御回路（４）の駆動電圧をオン又はオフできる撮像装置において、
前記操作手段（１）から前記第１制御回路（２）に至る伝送線が分岐して前記第２制御回路（４）に接続されており、
前記第２制御回路（４）は、前記操作手段（１）から送られる信号を検出して、前記操作手段（１）の操作に応じた前記カメラ部（７）の制御を行い、
前記操作手段（１）から送られる信号は、バッファ手段（３）を介して前記第２制御回路に供給され、
前記バッファ手段（３）は、前記第２制御回路（４）の駆動電圧がオフである場合に、前記操作手段（１）から送られる信号の接地電位への引き込みを抑制することを特徴とする撮像装置。
【請求項２】
操作手段（１）と、被写体を撮影して画像信号を出力するカメラ部（７）と、前記操作手段（１）から送られる信号を処理する第１制御回路（２）と、前記カメラ部（７）の制御を行う第２制御回路（４）と、各種項目を示す設定画面を表示できる表示部（９）とを具えており、前記第１制御回路（２）に駆動電圧が印加されている状態で、前記第２制御回路（４）の駆動電圧をオン又はオフできる撮像装置において、
前記操作手段（１）から前記第１制御回路（２）に至る伝送線が分岐して前記第２制御回路（４）に接続されており、
前記操作手段（１）から送られる信号は、前記第２制御回路（４）の駆動電圧がオフである場合に、前記操作手段（１）から送られる信号の接地電位への引き込みを抑制するバッファ手段（３）を介して前記第２制御回路に供給され、
前記操作手段（１）から送られる信号は、前記第１制御回路（２）又は前記第２制御回路（４）の何れか一方で処理され、
前記操作手段（１）を操作することにより、前記カメラ部（７）の動作又は前記設定画面で項目の選択を行えることを特徴とする撮像装置。
【請求項３】
前記バッファ手段（３）の駆動電圧は、前記第２制御回路（４）の駆動電圧と共通であり、前記バッファ手段（３）は、伝送線から電源線へ順方向に接続された保護ダイオードがないバッファＩＣ（３０ａ）（３０ｂ）である請求項１又は請求項２に記載の撮像装置。
【請求項４】
前記バッファ手段（３）は、トランジスタ（３６ａ）（３６ｂ）を用いたスイッチング回路（３５ａ）（３５ｂ）である請求項１又は請求項２に記載の撮像装置。
【請求項５】
前記操作手段（１）は、ジョグダイヤル（１１）又はマニュアルフォーカスリング（１２）である請求項１乃至請求項４の何れかに記載の撮像装置。
【発明の詳細な説明】
【０００１】
【発明の属する技術分野】
本発明は、多機能化されたジョグダイヤル等の操作手段を具えた撮像装置に関する。
【０００２】
【従来の技術】
デジタルスチルカメラやデジタルビデオカメラに代表される撮像装置は、各種操作又は設定を行う際に用いる操作手段を具えている。このような操作手段として代表的なものに、ジョグダイヤルがある。近年、ジョグダイヤルを多機能化する試みがなされており、例えば、ジョグダイヤルの操作により、マニュアルフォーカス調整が、すなわちマニュアルフォーカスモードにおいてフォーカスレンズの移動ができる撮像装置が存在している（特許文献１及び特許文献２参照）。
【０００３】
図７は、従来の撮像装置の概要を示すブロック図である。撮像装置は、キースキャン信号の処理や電源回路（図示せず）の制御等を行う第１制御回路（２）と、画像データの処理やカメラ部（７）の制御等を行う第２制御回路（４）とを具えている。通常、第１制御回路（２）には、８ビットマイクロコンピュータが使用され、より高速の処理が求められる第２制御回路（４）には、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）とＣＰＵとで構成された回路が使用されている。操作部（５）は、動作モードや電源のオン／オフ等を指示する各種スイッチを具えており、操作部（５）からのキースキャン信号は、第１制御回路（２）に送られる。ジョグダイヤル（１１）の機能は、操作部（５）の機能と同種である。よって、ジョグダイヤル（１１）は、操作部（５）と同様に第１制御回路（２）に接続され、その操作に伴って発生するパルス信号は第１制御回路（２）で処理される。
【０００４】
カメラ部（７）は、被写体を撮影して画像信号を出力するものであり、フォーカスレンズを含む各種レンズ、フォーカスレンズ駆動用モータ及び撮像素子等を具えている。カメラ部（７）の撮像素子は、被写体から送られた光を画像信号に変換して第２制御回路（４）に出力する、第２制御回路（４）は、画像信号を処理して画像データを作成する。第２制御回路（４）で作成された画像データは、図示を省略した記録媒体に記録される。マニュアルフォーカス制御、オートフォーカス制御、ズーム制御及びアイリス制御等のカメラ部（７）の制御には、高度且つ高速な演算処理が求められる。そのため、カメラ部（７）の制御は、ドライバ回路（８）を介して第２制御回路（４）によって行われる。第２制御回路（４）には、画像データを表示する表示部（９）が接続される。
【０００５】
撮像装置は、携帯時には内蔵されたバッテリ（図示せず）で駆動される。バッテリの消耗を抑えるために、第２制御回路（４）及び表示部（９）等の駆動電圧と、第１制御回路（２）の駆動電圧は、別系統で供給される。電源回路は、第１制御回路（２）に駆動電圧が印加されている状態で、第２制御回路（４）の駆動電圧をオン又はオフすることができる。ＯＶＦ（Ｏｐｔｉｃａｌ  Ｖｉｅｗ  Ｆｉｎｄｅｒ）モード等の省電力モードが設定されると、第１制御回路（２）が電源回路に指令を出して、第２制御回路（４）及び表示部（９）等の駆動電圧がオフになる。
【０００６】
ＥＶＦ（Ｅｌｅｃｔｒｉｃ  Ｖｉｅｗ  Ｆｉｎｄｅｒ）モードでは、カメラ部（７）が捉えている撮像が表示部（９）に表示されて、使用者はこの撮像を見ながらジョグダイヤル（１１）を操作してカメラ部（７）を動作させることができる。第１制御回路（２）と第２制御回路（４）は、シリアル通信により互いに信号の送受を行うように構成されており、ＥＶＦモードにおいて、例えば、ジョグダイヤル（１１）を用いてマニュアルフォーカス調整が行われる場合、第１制御回路（２）は、ジョグダイヤル（１１）から送られた２相のパルス信号を処理し、これら信号のパルス数と位相差に関するデータを、マニュアルフォーカス制御を行う第２制御回路（４）に転送する。第２制御回路（４）は、送られたデータを用いて演算を行って、フォーカスレンズ駆動用モータの回転方向及び回転数を決定し、ドライバ回路（８）に指令信号を送る。そして、カメラ部（７）のフォーカスレンズ駆動用モータがドライバ回路（８）により駆動されて、フォーカスレンズが移動する。
【０００７】
【特許文献１】
特開２００１−９４９０８号公報
【特許文献２】
特開２００２−３３３６６０号公報
【０００８】
【発明が解決しようとする課題】
ＥＶＦモードでは、撮像装置の使用者は、表示部（９）に表示されている撮像を見ながら、ジョグダイヤル（１１）を操作することによりマニュアルフォーカス調整を行う。しかしながら、従来の撮像装置では、ジョグダイヤル（１１）からの信号は、一旦第１制御回路（２）に送られて処理され、この処理後のデータがシリアル通信で第２制御回路（４）に送られているために、ジョグダイヤル（１１）の操作からフォーカスレンズが移動するまでの時間遅れが顕著であった。そのために、使用者は、ジョグダイヤル（１１）の操作をしたものの表示部（９）に表示された撮像が瞬時に変化しないので、ジョグダイヤル（１１）によるマニュアルフォーカス調整に相当な違和感を感じていた。ジョグダイヤル（１１）を用いてズーム調整やアイリス調整を行う場合も同様であった。
【０００９】
この問題を解決する一つの方法として、ジョグダイヤル（１１）から送られる信号を第２制御回路（４）でも検出させることが考えられる。しかしながら、ジョグダイヤル（１１）から第１制御回路（２）に至る伝送線を分岐して第２制御回路（４）に接続した場合、ＯＶＦモードにおいて、ジョグダイヤル（１１）から送られる信号を第１制御回路（２）で検出できない事態が生ずる。ＯＶＦモードでは、第２制御回路（４）の駆動電圧がオフになり、この駆動電圧の電圧線が接地電位になるので、ジョグダイヤル（１１）からの信号は接地電位に引き込まれてしまうからである。
【００１０】
同様な問題は、マニュアルフォーカスリングを多機能化する場合にも生ずる。マニュアルフォーカスリングを具えた撮像装置では、マニュアルフォーカスリングからの信号は、第２制御回路（４）で検出されて処理される。マニュアルフォーカスリングにジョグダイヤルの機能を付加するために、マニュアルフォーカスリングから第２制御回路（４）に至る伝送線を分岐して第１制御回路（２）に接続しても、上記と同様な理由によって、ＯＶＦモードにおいて、マニュアルフォーカスリングから送られる信号を第１制御回路（２）で検出できない事態が生じてしまう。
【００１１】
本発明は、上記の問題を解決するものであり、第１制御回路及び第２制御回路を具えており、第１制御回路に駆動電圧が供給されている場合に、第２制御回路の駆動電圧をオン又はオフできる撮像装置において、ジョグダイヤル等の操作手段を効果的に多機能化することを目的とする。
【００１２】
【課題を解決するための手段】
本発明の撮像装置は、操作手段と、被写体を撮影して画像信号を出力するカメラ部と、前記操作手段から送られる信号を処理する第１制御回路と、前記カメラ部の制御を行う第２制御回路とを具えており、前記第１制御回路に駆動電圧が印加されている状態で、前記第２制御回路の駆動電圧をオン又はオフできる撮像装置において、前記操作手段から前記第１制御回路に至る伝送線が分岐して前記第２制御回路に接続されており、前記第２制御回路は、前記操作手段から送られる信号を検出して、前記操作手段の操作に応じた前記カメラ部の制御を行い、前記操作手段から送られる信号は、バッファ手段を介して前記第２制御回路に供給され、前記バッファ手段は、前記第２制御回路の駆動電圧がオフである場合に、前記操作手段から送られる信号の接地電位への引き込みを抑制することを特徴とする。
【００１３】
また、本発明の撮像装置は、操作手段と、被写体を撮影して画像信号を出力するカメラ部と、前記操作手段から送られる信号を処理する第１制御回路と、前記カメラ部の制御を行う第２制御回路と、各種項目を示す設定画面を表示できる表示部とを具えており、前記第１制御回路に駆動電圧が印加されている状態で、前記第２制御回路の駆動電圧をオン又はオフできる撮像装置において、前記操作手段から前記第１制御回路に至る伝送線が分岐して前記第２制御回路に接続されており、前記操作手段から送られる信号は、前記第２制御回路の駆動電圧がオフである場合に、前記操作手段から送られる信号の接地電位への引き込みを抑制するバッファ手段を介して前記第２制御回路に供給され、前記操作手段から送られる信号は、前記第１制御回路又は前記第２制御回路の何れか一方で処理され、前記操作手段を操作することにより、前記カメラ部の動作又は前記設定画面で項目の選択を行えることを特徴とする。
【００１４】
【作用及び効果】
本発明の撮像装置では、第１制御回路及び第２制御回路にて、操作手段からの信号を検出でき、さらには処理できる。さらに、操作手段から送られる信号の接地電位への引き込みを抑制するバッファ手段を設けることにより、第２制御回路の駆動電圧がオフであっても、第１制御回路は、操作手段から送られた信号を検出できる。
【００１５】
本発明によれば、ジョグダイヤルを具える撮像装置では、ジョグダイヤルからの信号が直接に第２制御回路で処理されるので、マニュアルフォーカス調整等のために、ジョグダイヤルを操作してカメラ部を動作させる場合、操作を行ってからマニュアルフォーカスレンズの移動等のカメラ部の動作が行われるまでの時間遅れが短くなる。このように、本発明によれば、マニュアルフォーカスリングの機能等を効果的に付加して、ジョグダイヤルを多機能化できる。また、第２制御回路の駆動電圧がオフであっても、ジョグダイヤルからの信号を第１制御回路で検出して処理できるので、操作手段を用いることができる。
【００１６】
本発明によれば、マニュアルフォーカスリングを具えた撮像装置において、マニュアルフォーカスリングにジョグダイヤルの機能を付加することができ、特に、操作手段を操作することにより、表示部に表示された設定画面を用いた設定を行える。さらに、第２制御回路の駆動電圧がオフであっても、マニュアルフォーカスリングからの信号を第１制御回路で検出して処理できるので、操作手段を用いることができる。
【００１７】
バッファ手段には、伝送線から電源ラインへ順方向に接続された保護ダイオードがないバッファＩＣを用いることができ、バッファＩＣの駆動電圧は、第２制御回路の駆動電圧と共通とされる。また、バッファ手段に、トランジスタを用いたスイッチング回路を用いてもよい。
【００１８】
【発明の実施の形態】
以下、本発明の実施例を図を用いて説明する。なお、以下の図では、従来装置と同じ構成については、同じ符号を付してある。図１は、本発明に係るデジタルスチルカメラ（以下、「カメラ」と称す）の第１実施例を示すものであり、図１（ａ）は正面図、図１（ｂ）は側面図、図１（ｃ）は背面図である。デジタルカメラの上部にはジョグダイヤル（１１）が配設されている。ジョグダイヤル（１１）は、カメラ本体部に対して回動自在な円盤状の回転部材と、この回転部材の回転に伴ってパルス信号を発生させる２つのスイッチを具えている。
【００１９】
カメラの背面部には、表示部（９）の表示面が露出している。表示部（９）には、液晶表示装置やＥＬ表示装置が使用され、カメラの具える記録媒体に記録された画像データが表示される。また、表示部（９）には、各種モードやパラメータを設定する際に選択可能な項目を示した設定画面を表示させることができ、使用者は、設定画面を見ながらジョグダイヤル（１１）を操作することで、設定画面上で所望設定項目を選択できる。
【００２０】
表示部（９）には、目的に応じた種々の設定画面が表示される。例えば、記録された画像データから所望の画像データを選択する場合には、画像データ選択用の設定画面が表示される。一例として、図６に、撮影に関する各種設定を行うための撮影設定画面を示す。設定画面の左端には、設定項目を表示したアイコン（９１）（９２）（９３）が配置されている。そして、これらアイコン（９１）（９２）（９３）の右側には、各設定項目に応じて設定可能なモードを表示したアイコン（９４ａ−ｅ）（９５ａ−ｄ）（９５ａ−ｄ）が並べられている。例えば、設定項目「解像度」を示すアイコン（９１）の右側には、画像データのピクセル数の大きさを示す数値を示した５つのアイコン（９４ａ−ｅ）が配置されている。
【００２１】
図６（ａ）に示す撮影設定画面の状態では、設定項目「解像度」を示すアイコン（９１）が選択されており、選択されたアイコン（９１）の表示色は他のアイコンと区別されている。使用者は、ジョグダイヤル（１１）を操作することにより、設定項目を選択する。図６（ｂ）は、ジョグダイヤル（１１）を操作して、設定項目「圧縮率」を示すアイコン（９２）を選択した状態を示している。使用者は、ジョグダイヤル（１１）を操作して、設定項目を選択した後、別途設けられたボタン（図示せず）を操作して、所望のモードを表示したアイコンを選択及び設定する。図６（ｃ）は、図６（ｂ）に示す状態から、モード「ＦＩＮＥ」を示すアイコン（９５ｂ）が選択された状態を示している。なお、図では示していないが、現在設定されているモードを示すアイコンは、設定されていないモードを示すアイコンと表示色により区別される。
【００２２】
カメラは、被写体を撮影して画像信号を出力するカメラ部（７）（図３参照）を具えており、ＥＶＦモードでカメラが動作する場合、表示部（９）には、カメラ部（７）が捉えている撮像が表示される。使用者は、この撮像を見ながらジョグダイヤル（１１）を操作することによりカメラ部を動作させて、マニュアルフォーカス調整等を行うことができる。カメラには、カメラの操作部（５）（図３参照）を構成する機能スイッチ（５１ａ）（５１ｂ）（５１ｃ）を含む各種スイッチが設けられている。機能スイッチ（５１ａ）（５１ｂ）（５１ｃ）を適当に選択して押すことにより、ジョグダイヤル（１１）の操作によって、アイリス調整やズーム調整等も行える。カメラの背面部にはブザー（２２）が配設されており、機能スイッチ（５１ａ）（５１ｂ）（５１ｃ）が押された際などに、確認音を発生させる。
【００２３】
カメラは、ＯＶＦモードで動作することもできる。ＯＶＦモードでは、表示部（９）及び関連する内部装置への給電が基本的に停止されている。例えば、ＯＶＦモードの場合、使用者は光学ファインダ（２３）を用いて撮像を把握して、シャッタ（２４）が押された場合にのみ表示部（９）等に一時的に給電がなされる。カメラの背面部には、ＯＶＦモードでも給電される副表示部（１０）が露出している。副表示部（１０）には、例えば、小型の白黒液晶表示装置が用いられて、フラッシュ（２５）のオン／オフや撮像可能な残りの回数等が表示される。
【００２４】
ジョグダイヤル（１１）は、ＯＶＦモードでもカメラの各種操作に使用される。例えば、副表示部（１０）には、図６に示す画面が簡略化さらには小型化されたような設定画面が表示される。ＯＶＦモードでも、使用者は、先に説明したように、ジョグダイヤル（１１）を操作することにより、解像度、圧縮率等の設定項目を選択できる。
【００２５】
図２は、本発明に係るカメラの第２実施例を示す平面図であり、図２（ａ）は正面図、図２（ｂ）は側面図、図２（ｃ）は背面図である。第２実施例のカメラは、ジョグダイヤル（１１）を具えていないが、その代わりにマニュアルフォーカスリング（１２）を具えている。マニュアルフォーカスリング（１２）を操作することにより、第１実施例について説明したように、マニュアルフォーカス調整等のカメラ部（７）の動作ができ、さらに、表示部（９）、又は副表示部（１０）に表示された設定画面上で設定項目を選択することもできる。
【００２６】
マニュアルフォーカスリング（１２）は、鏡筒を囲うように配置された筒状の回転部材を具えており、さらにこの回転部材の回転に伴いパルス信号を発生させる２つのスイッチを具えている。ジョグダイヤル（１１）とは異なり、マニュアルフォーカスリング（１２）では、回転部材の回転により生ずる信号のパルス数が多く、また、回転部材は、回転の際に使用者にクリック感を与えない構造となっている。そのために、マニュアルフォーカスリング（１２）にそのままジョグダイヤルの機能を付加すると操作に不便な面が生ずる。第２実施例のカメラでは、マニュアルフォーカスリング（１２）の回転に伴い発生するパルスを計数して、所定数（１０パルス程度）毎にブザー（２２）が確認音を鳴らすように構成されている。これにより、表示部（９）に表示された設定画面上で設定項目が選択された際に確認音を発生させることができ、マニュアルフォーカスリング（１２）を用いた選択操作が容易になる。
【００２７】
図３は、第１実施例又は第２実施例のカメラのブロック図である。本ブロック図における操作手段（１）は、ジョグダイヤル（１１）又はマニュアルフォーカスリング（１２）である。前者の場合、本ブロック図は第１実施例のカメラを示し、後者の場合、本ブロック図は第２実施例のカメラを示す。
【００２８】
操作手段（１）は、回転部材の回転に伴いオン／オフを繰り返す２つのスイッチ（１ａ）（１ｂ）を具えている。操作手段（１）からは、回転部材の回転に伴い、位相が異なるパルス状のＡ相信号及びＢ相信号が出力される。Ａ相信号を送る伝送線は、スイッチ（１ａ）から第１制御回路（２）に至っている。また、この伝送線は途中で分岐しており、分岐した伝送線は、バッファ手段（３）を介して第２制御回路（４）に至っている。これら伝送線は、プルアップ抵抗（２１ａ）を介して、駆動電圧Ｖｃｃ１の電源線に接続されている。Ｂ相信号を送る伝送線も、スイッチ（１ｂ）から第１制御回路（２）に至っている。この伝送線も途中で分岐しており、分岐した伝送線はバッファ手段（３）を介して第２制御回路（４）に至っている。これら伝送線は、プルアップ抵抗（２１ｂ）を介して、駆動電圧Ｖｃｃ１の電源線に接続されている。このように、本発明を適用したカメラでは、操作手段（１）から送られた信号は、第１制御回路（２）及び第２制御回路（４）で検出できる。
【００２９】
８ビットマイコンで構成されている第１制御回路（２）には、図１又は図２に示すシャッタ（２４）、機能スイッチ（５１ａ）（５１ｂ）（５１ｃ）及びその他のスイッチやボタンで構成される操作部（５）が接続されており、第１制御回路（２）は、操作部（５）から送られたキースキャン信号や操作手段（１）からのパルス信号を処理してカメラ内の内部装置に動作指令を行う。ブザー（２２）は、第１制御回路（２）に接続されており、第１制御回路（２）は、操作部（５）から信号が入力された際に確認音を発生させるように、ブザー（２２）に指令信号を送る。また、操作手段（１）がマニュアルフォーカスリング（１２）である場合、第１制御回路（２）は、所定のパルス数の信号が入力される毎に、確認音を発生させるようにブザー（２２）に指令信号を送る。
【００３０】
第１制御回路（２）は、カメラの電源制御も行っている。カメラは、バッテリ（図示省略）を含む電源回路（６）を具えている。電源回路（６）は、２系統の電源電圧、具体的には電源電圧Ｖｃｃ１及び電源電圧Ｖｃｃ２を発生し、電源電圧Ｖｃｃ１を発生している状態で、電源電圧Ｖｃｃ２をオン又はオフすることができる。第１制御回路（２）は、電源電圧Ｖｃｃ１で駆動されており、第２電源回路（６）、バッファ手段（３）及び表示部（９）は、電源電圧Ｖｃｃ２で駆動されている。例えば、ＥＶＦモードでカメラが動作している場合、第１制御回路（２）は、常時、電源回路（６）に電源電圧Ｖｃｃ１及び電源電圧Ｖｃｃ２を発生させる。ＯＶＦモードでカメラが動作している場合、第１制御回路（２）は、常時、電源回路（６）に電源電圧Ｖｃｃ１を発生させており、シャッタ（２４）（図２及び図３参照）が押された場合に、所定時間の間、電源回路（６）に電源電圧Ｖｃｃ２を発生させる。これにより、一時的に第２制御回路（４）が駆動させて、カメラ部（７）から送られる画像信号が第２制御回路（４）で処理される。
【００３１】
第２制御回路（４）は、ＣＰＵと、画像データを処理するＡＳＩＣとで構成された回路である。カメラ部（７）は、フォーカスレンズを含む各種レンズ、フォーカスレンズ駆動用モータ、ズーム機構、アイリス機構及び撮像素子等を含んでおり、カメラ部（７）の撮像素子から出力された画像信号は、第２制御回路（４）に送られて処理される。第２制御回路（４）は画像信号から画像データを作成する。画像データは、表示部（９）に送られて表示され、又は図示を省略した記録媒体に記憶される。
【００３２】
第２制御回路（４）は、ドライバ回路（８）を介してカメラ部（７）の制御を行う。第２制御回路（４）は、オートフォーカス制御、マニュアルフォーカス制御、アイリス制御やズーム制御等を行う。例えば、第２制御回路（４）は、オートフォーカスモードにおいて、カメラ部（７）からの画像データを処理して、撮像素子の受光面で入射光が合焦するようにフォーカスレンズを移動させる指令信号をドライバ回路（８）に送る。また、第１制御回路（２）と第２制御回路（４）は、シリアル通信により互いに信号の送受を行う。
【００３３】
副表示部（１０）は、第１制御回路（２）によって制御される。副制御部（１０）は、第１制御回路（２）と同じ駆動電圧Ｖｃｃ１で駆動されており、常時表示を行っている。、表示部（９）に駆動電圧Ｖｃｃ２が印加されている場合に、第１制御回路（２）は、第２制御回路４）を介して表示部（９）に設定画面を表示し、操作手段（１）からの信号に基いて設定画面を変化させる。各種設定画面のデータや、現在設定されているモード等のデータは、第１制御回路（２）内のメモリ（図示せず）記憶されており、例えば、ＥＶＦモードにて表示部（９）を用いてモードの設定を行った後に、ＯＶＦモードで副表示部（１０）を用いてモードの設定を行う場合、ＥＶＦモードにおける設定結果は、副表示部（１０）に表示される設定画面に反映される。
【００３４】
次に、バッファ手段（３）について説明する。上記の構成により、本発明を適用したカメラでは、操作手段（１）からの信号は、第１制御回路（２）及び第２制御回路（４）に駆動電圧が印加されている場合に、これら双方に入力される。しかしながら、説明したように、第２制御回路（４）に印加される駆動電圧Ｖｃｃ２は、第１制御回路（２）に駆動電圧Ｖｃｃ１が印加されている状態でオフになる場合がある。第２制御回路（４）のＡＳＩＣは、ラッチアップ防止用の一対の保護ダイオードを具えており、この保護ダイオードの一方は、伝送線から駆動電源Ｖｃｃ２の電源線へ順方向に接続されている。従って、操作手段（１）の伝送線にバッファ手段（３）が介在していないとすると、第２制御回路（４）に印加される駆動電圧Ｖｃｃ２をオフにした場合、駆動電源Ｖｃｃ２の電源線が接地電位に落ちることから、操作手段（１）からの信号は、接地電位に引き込まれてしまって、第１制御回路（２）にて検出されない事態が生ずる。
【００３５】
本発明では、操作手段（１）からの信号は、バッファ手段（３）を介して第２制御回路（４）に送られる。バッファ手段は、第２制御回路（４）の駆動電圧Ｖｃｃ２がオフになった場合に、操作手段（１）からの信号の接地電位への引き込みを抑制するように構成される。従って、本発明によれば、第２制御回路（４）の駆動電圧Ｖｃｃ２がオフ、操作手段（１）からの信号を第１制御回路（２）に送ることができ、第２制御回路（４）が駆動されないＯＶＦモードであっても、操作手段（１）を用いることができる。また、第１制御回路（２）及び第２制御回路（４）が共に駆動されている状態において、これら制御回路（２）（４）は、共に操作手段（１）からの信号を直接検出し、さらには処理できる。なお、設定されている動作モードに従って、第１制御回路（２）又は第２制御回路（４）のいずれか一方で、操作手段（１）から送られた信号の処理が行われる。
【００３６】
図４に、バッファ手段（３）の一例を示す。バッファ手段（３）は、一対のバッファＩＣ（３０ａ）（３０ｂ）で構成されており、バッファＩＣ（３０ａ）の入力端子（３１ａ）は、Ａ相信号の伝送線に接続され、同出力端子（３２ａ）は第２制御回路（４）と接続される。バッファＩＣ（３０ｂ）の入力端子（３１ｂ）は、Ｂ相信号の伝送線に接続され、同出力端子（３２ｂ）は第２制御回路（４）と接続される。これらバッファＩＣ（３０ａ）（３０ｂ）の主回路部（３３ａ）（３３ｂ）は、第２制御装置（４）と同じく駆動電圧Ｖｃｃ２で駆動される。
【００３７】
これらバッファＩＣ（３０ａ）（３０ｂ）には、主回路（３３ａ）（３３ｂ）の入力側の伝送線から駆動電圧Ｖｃｃ２の電源線へ順方向に接続された保護ダイオードを具えていないタイプのバッファＩＣが用いられる。これらバッファＩＣ（３０ａ）（３０ｂ）は、主回路部（３３ａ）（３３ｂ）の入力側に、アノードが接地され、カソードが伝送線に接続された保護ダイオード（３４ａ）（３４ｂ）を具えるのみである。従って、駆動電圧Ｖｃｃ２がオフになり、駆動電圧Ｖｃｃ２の電源線が接地電位になっても、バッファＩＣ（３０ａ）（３０ｂ）からＡ相信号及びＢ相信号は送られない。また、上記のような保護ダイオードが存在しないので、伝送線から電源線へＡ相信号及びＢ相信号が送られることもない。このように、バッファＩＣ（３０ａ）（３０ｂ）によってＡ相信号及びＢ相信号の接地電位への引き込みが抑制される。
【００３８】
図５に、バッファ手段（３）の別の例を示す。バッファ手段（３）は、トランジスタ（３６ａ）（３６ｂ）を用いたスイッチング回路（３５ａ）（３５ｂ）である。Ａ相信号の伝送線は、抵抗（３７ａ）を介してスイッチング回路（３５ａ）のトランジスタ（３６ａ）のベースと接続されており、トランジスタ（３６ａ）のコレクタは第２制御回路（４）と接続されて、トランジスタ（３６ａ）のエミッタは接地されている。また、トランジスタ（３６ａ）のコレクタと第２制御回路（４）とを接続する伝送線は、抵抗（３８ａ）を介して駆動電圧Ｖｃｃ２の電源線と接続されており、抵抗（３７ａ）と並列に接続された抵抗（３９ａ）の一端は接地されている。スイッチング回路（３５ｂ）も同様に構成されている。抵抗（３７ａ）及び抵抗（３９ａ）の抵抗値は、プルアップ抵抗（２１ａ）の抵抗値よりも充分に大きな値とされ、抵抗（３７ｂ）及び抵抗（３９ｂ）の抵抗値は、プルアップ抵抗（２１ｂ）の抵抗値よりも充分に大きな値とされる。このようなスイッチング回路（３５ａ）（３５ｂ）を設けることにより、接地電位に引き込まれるＡ相信号及びＢ相信号のレベルは無視できる程度になるので、Ａ相信号及びＢ相信号を第１制御回路（２）はＡ相信号及びＢ相信号を検出できる。
【００３９】
次に、第１実施例のカメラについて、操作手段（１）を用いた操作を説明する。まず、駆動電圧Ｖｃｃ１及び駆動電圧Ｖｃｃ２が共に印加されている場合について説明する。この場合、操作手段（１）、すなわちジョグダイヤル（１１）からの信号は、第１制御回路（２）及び第２制御回路（４）の双方に送られる。設定されている動作モードに従って、第１制御回路（２）又は第２制御回路（４）のいずれか一方で、ジョグダイヤル（１１）から送られた信号の処理が行われる。
【００４０】
例えば、表示部（９）を見ながら、カメラに各種モードやパラメータ等を設定する場合に、使用者は、表示部（９）に表示された設定画面を見ながら、ジョグダイヤル（１１）を操作して、所望の設定項目を選択する。この際、第１制御回路（２）がジョグダイヤル（１１）からの信号を処理して内部装置の動作制御を行う。
【００４１】
操作部（５）を用いてマニュアルフォーカスモードが設定された場合、ジョグダイヤル（１１）から送られた信号は、マニュアルフォーカス制御を行う第２制御回路（４）で処理される。第２制御回路（４）は、ジョグダイヤル（１１）から送られた２相信号のパルス数や位相差に基づいて演算を行って、フォーカスレンズ駆動用モータの回転方向及び回転数を決定し、ドライバ回路（８）に指令信号を送る。そして、カメラ部（７）のフォーカスレンズ駆動用モータがドライバ回路（８）により駆動されて、フォーカスレンズが移動する。本発明では、ジョグダイヤル（１１）からの信号を第２制御回路（４）で処理しているので、カメラ部（７）のフォーカスレンズ駆動用モータは、ジョグダイヤル（１１）の操作に応じて素早く駆動する。従って、ＥＶＦモードで、使用者が、表示部（９）を見ながらマニュアルフォーカス調整を行っても、ジョグダイヤル（１１）の操作から表示された撮像が変化するまでの時間遅れが極めて短くなる。なお、ズーム調整モードやアイリス調整モードが設定されている場合も、マニュアルフォーカスモードが設定されている場合と同様に、ジョグダイヤル（１１）を操作して、カメラ部（７）のズーム機構やアイリス機構を動作させることができる。
【００４２】
第２制御回路（４）の駆動電圧Ｖｃｃ２をオフにするＯＶＦモードが操作部（５）により設定された場合、ジョグダイヤル（１１）からの信号は、第１制御回路（２）のみで処理される。この場合、先に説明したように、ジョグダイヤル（１１）からの信号が接地電位へ引き込まれないので、ＯＶＦモードにおいても、副表示部（１０）に表示された設定画像上で設定項目を選択する等の、ジョグダイヤル（１１）を用いた操作を行うことができる。
【００４３】
次に、第２実施例のカメラについて、操作手段（１）を用いた操作を説明する。まず、駆動電圧Ｖｃｃ１及び駆動電圧Ｖｃｃ２がオンである場合について説明する。この場合、操作手段（１）、すなわちマニュアルフォーカスリング（１２）からの信号は、第１制御回路（２）及び第２制御回路（４）に送られる。設定されている動作モードに基づいて、第１制御回路（２）又は第２制御回路（４）のいずれか一方でマニュアルフォーカスリング（１２）から送られた信号の処理が行われる。
【００４４】
マニュアルフォーカスモードが設定されている場合、マニュアルフォーカスリング（１２）から送られた信号は、第２制御回路（４）で処理される。第２制御回路（４）は、マニュアルフォーカスリング（１２）から送られた２相信号のパルス数や位相差に基づいて、ドライバ回路（８）に動作を指令する信号を送り、カメラ部（７）のフォーカスレンズ駆動用モータが駆動される。なお、ズーム調整モードやアイリス調整モードが設定されている場合も、マニュアルフォーカスモードが設定されている場合と同様に、マニュアルフォーカスリング（１２）を操作して、カメラ部（７）のズーム機構やアイリス機構を動作させることができる。
【００４５】
各種モードやパラメータを設定する動作モードが操作部（５）を用いて設定されている場合、又はマニュアルフォーカスモードが設定されていても、機能スイッチ（５１ａ）（５１ｂ）（５１ｃ）の何れかが押された場合には、マニュアルフォーカスリング（１２）から送られた信号は、第１制御回路（２）で処理される。使用者は、表示部（９）に表示された設定画面を見ながら、マニュアルフォーカスリング（１２）を操作して、所望の設定項目を選択する。第１制御回路（２）は、マニュアルフォーカスリング（１２）の回転に伴い発生するパルスを計数して、所定のパルス数毎に確認音を鳴らすようにブザー（２２）へ指令信号を送る。
【００４６】
ＯＶＦモードが操作部（５）により設定されている場合、マニュアルフォーカスリング（１２）からの信号は、第１制御回路（２）のみで処理される。この場合、先に説明したように、マニュアルフォーカスリング（１２）からの信号は接地電位へ引き込まれないので、第２制御回路（４）を駆動させないＯＶＦモードにおいても、副表示部（１０）に表示された設定画像上で設定項目を選択する等の、マニュアルフォーカスリング（１２）を用いた操作を行うことができる。
【００４７】
このように、第２実施例のカメラでは、キースキャン信号を処理する第１制御回路（２）にもマニュアルフォーカスリング（１２）からの信号を送ることにより、マニュアルフォーカスリング（１２）にジョグダイヤル（１１）の有する機能を付加されている。
【００４８】
本発明は、デジタルスチルカメラ以外にもデジタルビデオカメラ、銀塩カメラ等の撮像装置に使用できる。操作手段（１）は、ジョグダイヤル（１１）及びマニュアルフォーカスリング（１２）に限られることはなく、また、本発明のバッファ手段（３）には、上記で例示した回路と同様な作用を有する回路を用いることができる。
【００４９】
上記実施例の説明は、本発明を説明するためのものであって、特許請求の範囲に記載の発明を限定し、或は範囲を減縮する様に解すべきではない。本発明の各部構成は上記実施例に限らず、特許請求の範囲に記載の技術的範囲内で種々の変形が可能であることは勿論である。
【図面の簡単な説明】
【図１】本発明に係るデジタルスチルカメラの第１実施例を示す平面図である。（ａ）図は正面図、（ｂ）図は側面図、（ｃ）図は背面図である。
【図２】本発明に係るデジタルスチルカメラの第２実施例を示す平面図である。（ａ）図は正面図、（ｂ）図は側面図、（ｃ）図は背面図である。
【図３】本発明に係るデジタルスチルカメラのブロック図である。
【図４】本発明に係るデジタルスチルカメラのバッファ手段の一例を示す回路図である。
【図５】本発明に係るデジタルスチルカメラのバッファ手段の一例を示す回路図である。
【図６】本発明に係るデジタルスチルカメラの表示部に表示される設定画面の一例を示す説明図である。
【図７】従来のデジタルスチルカメラのブロック図である。
【符号の説明】
（１）          操作手段
（２）          第１制御回路
（３）          バッファ手段
（４）          第２制御回路
（５）          操作部
（６）          電源回路
（７）          カメラ部
（８）          ドライバ回路
（９）          表示部
（１０）        副表示部
（１１）        ジョグダイヤル
（１２）        マニュアルフォーカスリング
（３０ａ）（３０ｂ）            バッファＩＣ
（３５ａ）（３５ｂ）            スイッチング回路
（３６ａ）（３６ｂ）            トランジスタ
【図１】
2004302068.tif 000003
【図２】
2004302068.tif 000004
【図３】
2004302068.tif 000005
【図４】
2004302068.tif 000006
【図５】
2004302068.tif 000007
【図６】
2004302068.tif 000008
【図７】
2004302068.tif 000009